(57)【要約】      （修正有）【課題】シートにより形成され、製造、持ち運び、保管が容易な簡易なホルダを提供する。【解決手段】弾性的な第１のシート構造を含む簡易なホルダであり、第１のシート構造は、２つの対向する第１の辺及び第２の辺を有する。穴１３０１が第１の辺と第２の辺との間に位置付けられ、第１の切り込みスリット１４０１ａが第１の辺の縁から内方に切り込み形成され、第２の切り込みスリット１４０１ｂが第２の辺の縁から内方に切り込み形成される。穴の中央は、第１の切り込みスリットと第２の切り込みスリットとの間に位置付けられる。第１のシート構造を曲げて、第１の切り込みスリットを第２の切り込みスリットに入れて噛み合わせることでホルダが形成できる。【選択図】図１
0003201882.tif 000002
【実用新案登録請求の範囲】
【請求項１】
弾性的な第１のシート構造を含む簡易なホルダであって、
前記第１のシート構造は：
第１の辺；
前記第１の辺に対向する第２の辺；
前記第１の辺と前記第２の辺との間に位置付けられる穴；
前記第１の辺の縁から内方に切り込むことによって形成される第１の切り込みスリット；及び
前記第２の辺の縁から内方に切り込むことによって形成される第２の切り込みスリット
を含み、
前記穴の中央は前記第１の切り込みスリットと前記第２の切り込みスリットとの間に位置付けられ、
前記第１のシート構造を曲げて、前記第１の切り込みスリットを前記第２の切り込みスリットに入り込ませることで噛み合わせることができ、この状態において、前記第１の切り込みスリットと前記第２の切り込みスリットとの間に位置付けられる前記第１のシート構造の一部が曲げられるとともに丸められて円筒体になり、前記穴を含む前記第１のシート構造の一部が曲げられるとともに丸められて物品を置くための溝を形成する、簡易なホルダ。
【請求項２】
前記第１の辺は前記第２の辺に対して平行である、請求項１に記載の簡易なホルダ。
【請求項３】
前記第１の切り込みスリットは、前記第１の辺及び前記第２の辺双方の中間位置まで延び、前記第２の切り込みスリットは、前記第１の辺及び前記第２の辺の中間位置まで延びる、請求項１に記載の簡易なホルダ。
【請求項４】
前記第１の切り込みスリットの方向は、前記第１の辺の方向に対して垂直であり、前記第２の切り込みスリットの方向は、前記第２の辺の方向に対して垂直である、請求項１に記載の簡易なホルダ。
【請求項５】
前記穴の長さは、前記第１のシート構造の全長の１／３である、請求項１に記載の簡易なホルダ。
【請求項６】
前記第１のシート構造は、少なくとも２つの前記穴を含み、該少なくとも２つの穴は前記第１の辺と前記第２の辺との間に並んで配置され；前記第１の切り込みスリットと前記第２の切り込みスリットとの間に位置付けられる前記第１のシート構造の前記一部が曲げられるとともに丸められて円筒体になると、前記少なくとも２つの穴を含む前記第１のシート構造の前記一部が曲げられるとともに丸められ、物品を入れるための少なくとも２つの溝を形成する、請求項１に記載の簡易なホルダ。
【請求項７】
前記穴は、２つの平行な対向する辺及び２つの対向する円弧形状の辺を含む滑走路のようなＵ字形状の穴である、請求項１に記載の簡易なホルダ。
【請求項８】
前記第１の切り込みスリットと前記第２の切り込みスリットとの間の距離は、前記第１のシート構造の全長の１／２〜２／３である、請求項１に記載の簡易なホルダ。
【請求項９】
前記第１のシート構造の前記第２の辺に接続される第２のシート構造を更に備え、該第２のシート構造は、物品を保管するための開口端を有する保管キャビティを形成するように複数回ひっくり返すことができ；前記第２のシート構造と前記第１のシート構造との間の接続部は、前記第２の辺に沿って引き裂くことができる引き裂き接続部である、請求項１に記載の簡易なホルダ。
【請求項１０】
前記第１の辺及び前記第２の辺の長さは、１００ｍｍ〜２００ｍｍの範囲であり、前記第１の辺及び前記第２の辺の幅は２５ｍｍ〜７０ｍｍの範囲である、請求項１、６及び９のいずれか一項に記載の簡易なホルダ。
【請求項１１】
前記第１のシート構造の両端は、第１のスロット及び第２のスロットをそれぞれ有し、前記第１のシート構造を曲げた後で、前記第１のスロット及び前記第２のスロットに、第１の補強シートを貫通させることができる、請求項１に記載の簡易なホルダ。
【請求項１２】
前記第１の補強シートは、前記第１のシート構造の端部と、曲げられるとともに丸められて円筒体になる前記一部との間に位置決めされる、請求項１１に記載の簡易なホルダ。
【請求項１３】
前記第１の補強シートは、前記第１のスロット及び前記第２のスロットと僅かにきつく適合する、請求項１１に記載の簡易なホルダ。
【請求項１４】
前記第１の補強シートの形状は前記穴の形状と同じである、請求項１１に記載の簡易なホルダ。
【請求項１５】
前記第１の補強シート及び前記第１のシート構造は、使用前は単一体であり、前記穴は、前記第１の補強シートを引き剥がした後で前記第１のシート構造に形成される、請求項１４に記載の簡易なホルダ。
【請求項１６】
前記第１の補強シートは、前記第１のシート構造が前記第１の補強シートから外れることを防止するように、前記第１のスロット及び前記第２のスロットに貫通した後で両端が曲げられる、請求項１１に記載の簡易なホルダ。
【考案の詳細な説明】
【技術分野】
【０００１】
本考案は、食卓用器具の分野に関し、特に、簡易なホルダに関する。
【背景技術】
【０００２】
箸、ナイフ及びフォーク等の食卓用器具は、食事中に使用される一般的な食事用の食卓用器具である。場合によっては、人々は、食事の途中で食卓用器具を一時的に置く必要があり得る。衛生上、簡易なスタンドを用いて、食卓用器具を保持することによってそのヘッドがテーブルから離され、ヘッドが汚れるか又はテーブルから転がり落ちることを防止する。そのような簡易なスタンドはレストラン又は家で広く用いられており、市場で入手可能なものの大部分は、セラミック、金属又は木のいずれかを用いて中実な形状で作られている。これらの特定の簡易なスタンドは概して、食卓用器具のヘッドを載せる凹部を含む。一方で、安定性を確実にするために、これらの簡易なスタンドには通常、特定の厚さが伴い、その製造方法は比較的複雑である。加えて、全てのこれらの簡易なスタンドは、使用後に洗う必要があり、したがって資源の無駄につながる。その上、これらの簡易なスタンドは幾らかの保管スペースを占める。
【考案の概要】
【考案が解決しようとする課題】
【０００３】
したがって、その製造方法が簡易であり、スペースを節減し、大事なことであるが広告又は販売促進目的の付加価値を有する簡易なホルダが望ましい。
【課題を解決するための手段】
【０００４】
本考案の目的は、その製造方法が簡易であり、保管に便利であり、スペースを節減する簡易なホルダを提供するとともに、広告又は販売促進媒体として役立つことである。簡易なホルダは弾性的な第１のシート構造を含む。第１のシート構造は、２つの対向する辺、すなわち第１の辺及び第２の辺を有する。穴が第１の辺と第２の辺との間に位置付けられ、第１の切り込みスリットが第１の辺の縁から内方に切り込むことによって形成され、第２の切り込みスリットが第２の辺の縁から内方に切り込むことによって形成される。穴の中央は、第１の切り込みスリットと第２の切り込みスリットとの間に位置付けられる。第１のシート構造を曲げて、第１の切り込みスリットを第２の切り込みスリットに入り込ませることで噛み合わせることができる。この状態において、第１の切り込みスリットと第２の切り込みスリットとの間に位置付けられる第１のシート構造の一部が曲げられるとともに丸められて円筒体になり、穴を含む第１のシート構造の一部も曲げられるとともに丸められて物品を置くための溝になる。
【０００５】
好ましい実施形態として、第１の辺は第２の辺に対して平行である。
【０００６】
好ましい実施形態として、第１の切り込みスリットは、第１の辺及び第２の辺双方の中間位置まで延び、第２の切り込みスリットは、第１の辺及び第２の辺の中間位置まで延びる。
【０００７】
好ましい実施形態として、第１の切り込みスリットの方向は、第１の辺の方向に対して垂直であり、第２の切り込みスリットの方向は、第２の辺の方向に対して垂直である。
【０００８】
好ましい実施形態として、穴の長さは、第１のシート構造の全長の１／３である。
【０００９】
好ましい実施形態として、第１のシート構造は、第１の辺と第２の辺との間に並んで配置される少なくとも２つの穴を含む。第１の切り込みスリットと第２の切り込みスリットとの間に位置付けられる第１のシート構造の一部が曲げられるとともに丸められて円筒体になると、少なくとも２つの穴を含む第１のシート構造の一部が曲げられるとともに丸められ、物品を置くための少なくとも２つの溝を形成する。
【００１０】
好ましい実施形態として、穴は、２つの平行な対向する辺及び２つの対向する円弧形状の辺を含む滑走路のようなＵ字形状の穴である。
【００１１】
好ましい実施形態として、第１の切り込みスリットと第２の切り込みスリットとの間の距離は、第１のシート構造の全長の１／２〜２／３である。
【００１２】
好ましい実施形態として、簡易なホルダは、第１のシート構造の第２の辺に接続される第２のシート構造も含む。第２のシート構造は、物品を保管するための開口端を有する保管キャビティを形成するように複数回ひっくり返すことができる。第２のシート構造と第１のシート構造との間の接続部は、第２の辺に沿って引き裂くことができる引き裂き接続部である。
【００１３】
好ましい実施形態として、第１の辺及び第２の辺の長さは、１００ｍｍ〜２００ｍｍの範囲であり、第１の辺及び第２の辺の幅は２５ｍｍ〜７０ｍｍの範囲である。
【００１４】
好ましい実施形態として、第１のシート構造の両端は、第１のスロット及び第２のスロットをそれぞれ有する。第１のシート構造を曲げた後で、第１のスロット及び第２のスロットに、第１の補強シートを貫通させることができる。
【００１５】
好ましい実施形態として、第１の補強シートは、第１のシート構造の端部と、曲げられるとともに丸められて円筒体になる一部との間に位置決めされる。
【００１６】
好ましい実施形態として、第１の補強シートは、第１のスロット及び第２のスロットと僅かにきつく適合する。
【００１７】
好ましい実施形態として、第１の補強シートの形状は穴の形状と同じである。
【００１８】
好ましい実施形態として、第１の補強シート及び第１のシート構造は、使用前は単一体であり、穴は、第１の補強シートを引き剥がした後で第１のシート構造に形成される。
【００１９】
好ましい実施形態として、第１の補強シートは、第１のシート構造が第１の補強シートから外れることを防止するように、第１のスロット及び第２のスロットに貫通した後で両端が曲げられる。
【００２０】
本考案が提供する簡易なホルダは、シートによって形成されるため、製造、運搬及び保管に便利である。シートは、曲げ、丸めてホルダとして成形することができる。
【図面の簡単な説明】
【００２１】
【図１】簡易なホルダの未使用状態の構造的な概略図である。
【図２】図１の簡易なホルダの使用状態の概略図である。
【図３】図１の簡易なホルダの使用方法の概略図である。
【図４】本考案の第２の実施形態の簡易なホルダの未使用状態の概略図である。
【図５】図４の簡易なホルダの使用状態の概略図である。
【図６】図４の簡易なホルダの使用方法の概略図である。
【図７】本考案の第３の実施形態の食卓用器具スリーブを用いた簡易なホルダの立体図である。
【図８】図７の食卓用器具スリーブを用いた簡易なホルダの使用状態の参照図である。
【図９】図７の食卓用器具スリーブを用いた簡易なホルダの平面展開図である。
【図１０】識別タグとして用いられる図１の簡易なホルダの参照図である。
【図１１】本考案の第４の実施形態の簡易なホルダの使用状態の参照図である。
【図１２】図１１の簡易なホルダの未使用状態の概略図である。
【考案を実施するための形態】
【００２２】
本考案の実施形態を、図面とともに以下のように更に説明する。
【００２３】
図１を参照すると、本考案の第１の実施形態の簡易なホルダは、矩形であるとともに側辺１１０１及びより短い辺１２０１を有する第１のシート構造１００１を含む。側辺１１０１は、互いに対して平行である第１の辺１１０１ａ及び第２の辺１１０１ｂを含む。第１の辺１１０１ａと第２の辺１１０１ｂとの間には少なくとも１つの穴１３０１がある。この実施形態では、１つの穴１３０１があり、穴１３０１の中央は、第１の切り込みスリット１４０１ａと第２の切り込みスリット１４０１ｂとの間に位置付けられる。この実施形態では、穴１３０１は、２つの基本的に平行な対向する辺及び２つの対向する円弧形状の辺を含む滑走路のようなＵ字形状の穴である。穴１３０１が延びる方向は、側辺１１０１の方向と同じである。穴１３０１は、側辺１１０１の中心軸に対して軸対称であり、Ｕ字形状の穴の長さは、第１のシート構造１００１の側辺１１０１のおよそ１／３である。穴１３０１の幅は約１２ｍｍ〜２０ｍｍである。穴１３０１の尾端の形状は、必要性に基づいてｎ形状又は３形状といった具合に変えることができる。同様に、穴１３０１は、Ｕ字形状の穴でなくてもよく、円形、楕円形、矩形等であることができる。前述した全ての変形形態は本考案の保護範囲内に入る。第１の切り込みスリット１４０１ａは、第１の辺１１０１ａの縁から内方に切り込むことによって形成され、第２の切り込みスリット１４０１ｂは、第２の辺１１０１ｂの縁から内方に切り込むことによって形成される。第１の切り込みスリット１４０１ａ及び第２の切り込みスリット１４０１ｂは、穴１３０１の２つの側にそれぞれ位置付けられる。第１の切り込みスリット１４０１ａと第２の切り込みスリット１４０１ｂとの間の距離は、第１のシート構造１００１の全長の１／２〜２／３である。この実施形態では、第１の切り込みスリット１４０１ａの方向は、第１の辺１１０１ａの方向に対して垂直であり、第２の切り込みスリット１４０１ｂの方向は、第２の辺１１０１ｂの方向に対して垂直である。第１の切り込みスリット１４０１ａの長さ及び第２の切り込みスリット１４０１ｂの長さの和は、より短い辺１２０１の長さ以上であるべきである。この実施形態では、第１の切り込みスリット１４０１ａ及び第２の切り込みスリット１４０１ｂの長さは、より短い辺１２０１の長さの１／２であり、すなわち、第１の切り込みスリット１４０１ａは、第１の辺１１０１ａ及び第２の辺１１０１ｂの中間位置まで延び、第２の切り込みスリット１４０１ｂは、第１の辺１１０１ａ及び第２の辺１１０１ｂの中間位置まで延びる。加えて、第１の切り込みスリット１４０１ａと側辺１１０１の中心軸との間の距離は、第２の切り込みスリット１４０１ｂと側辺１１０１の中心軸との間の距離に等しい。第１の切り込みスリット１４０１ａと近い方のより短い辺１２０１との間の距離は、側辺の長さの１／３〜１／４である。
【００２４】
図２及び図３を参照すると、第１のシート構造１００１の使用時に、第１の切り込みスリット１４０１ａは、固定するために第２の切り込みスリット１４０１ｂにクランプされ、すなわち、第１の切り込みスリット１４０１ａ及び第２の切り込みスリット１４０１ｂは、この時点では同じ直線上に位置付けられる。第１のシート構造１００１が曲げられると、穴１３０１は、箸又はナイフ及びフォーク等の食卓用器具を収容する溝１３１１を形成し、より短い辺１２０１は食卓に置かれるのに用いられる。
【００２５】
図４〜図６を参照すると、第３の実施形態の簡易なホルダと第１の実施形態の簡易なホルダとの違いは、第１のシート構造１００２が、第１のシート構造１００２の長い方の辺の中心軸に沿って少なくとも２つの穴１３０２を有することにある。２つの穴１３０２は、第１の辺の縁１１０２ａと第２の辺の縁１１０２ｂとの間に並んで位置付けられる。特に、穴１３０２は、第１の辺の縁１１０２ａ及び第２の辺の縁１１０２ｂの中点の接続線上に等間隔に配置される。穴１３０２間の離間距離は、各穴１３０２の幅の約２／３である。第１の切り込みスリット１４０２ａと第２の切り込みスリット１４０２ｂとの間に位置付けられる第１のシート構造の一部が、曲げられて円筒体になり、次いで、２つの穴１３０２を含む第１のシート構造の一部も曲げられるとともに丸められ、２対の箸又は（図６に示されているような）ナイフ及びフォーク等の他の食卓用器具を同時に置くことができる２つの溝になる。
【００２６】
図７〜図９を参照すると、本考案の第３の実施形態の簡易なホルダは、第１のシート構造１００３及び第２のシート構造２００３を含む。本考案が提供する簡易なホルダは、紙、薄いプラスチック又は他の弾性材料から作られるのが好ましい。第１のシート構造１００３と第２のシート構造２００３との間の接続部は引き裂き接続部である。第２のシート構造２００３は、第１のシート構造２００３の自由端を第１のシート構造１００３に重ねるようにひっくり返され、食卓用器具を接続状態で覆うように食卓用器具スリーブに取って代わるための開口端を有するキャビティを形成し、それによって、材料を節減することができる。第１のシート構造１００３は、簡易なホルダとして使用される場合、第２のシート構造２００３から分離する必要がある。簡易なホルダは、紙又はプラスチック等の材料から作られる場合、単に手で引き裂く必要がある。好ましい実施形態として、簡易なホルダは、再生紙又は環境に優しいプラスチックから作られる。パターン又は広告情報を、第１のシート構造１００３の両側（すなわち、より短い辺と第１の切り込みスリット又は第２の切り込みスリットとの間の領域）に印刷することができ、パターン又は広告情報は、第１のシート構造の両面に印刷することができる。簡易なホルダは使い捨てであり、したがって、洗う必要がなく、また環境に優しく、外観が魅力的であり、広告又は販売促進効果も達成することができる。本考案の別の利点は、未使用状態ではシート構造であるため、大きなスペースを占めることなく容易に保管されることである。
【００２７】
図１０に示されているように、前述したような簡易なホルダは、識別タグとしても使用することができ、したがって、ワインパーティー及びディナーパーティー等の混み合う機会にも適用可能である。識別タグは、ワインカップ又はカップのハンドルを覆うことができ、ユーザは、識別を容易にするために名前を書き込むことができる。
【００２８】
図１１及び図１２を参照することによって、本考案の第４の実施形態の簡易なホルダでは、第１のシート構造１００の穴１３０の両端は、第１のスロット１５１ａ及び第２のスロット１５１ｂをそれぞれ有する。第１のシート構造を曲げた後で、第１のスロット１５１ａ及び第２のスロット１５１ｂに、第１の補強シート１６１を貫通させることができる。この時点で、第１の補強シート１６１は、第１のシート構造の端部と、曲げられるとともに丸められて円筒体にされる部分との間に位置決めされる。好ましくは、第１の補強シートは、第１のシート構造が第１の補強シート１６１から外れることを防止し、したがって簡易なホルダの支持機能を高めるように、第１のスロット及び第２のスロットと僅かにきつく適合する。さらに、第１の補強シート１６１は、第１のシート構造が第１の補強シートから外れることを更に防止し、したがって簡易なホルダの支持機能を更に高めるように、第１のスロット１５１ａ及び第２のスロット１５１ｂに貫通した後で両端が曲げられる。
【００２９】
１つの実施形態では、第１の補強シート１６１の形状は穴１３０の形状と同じである。好ましくは、第１の補強シート１６１及び第１のシート構造１００は、使用前は単一体であり、穴１３０は、第１の補強シート１６１を引き剥がした後で第１のシート構造に形成される。
【００３０】
別の実施形態では、第１の補強シート１６１及び第１のシート構造１００は２つの異なる単一体であるものとすることができる。加えて、各第１のシート構造１００は２つ以上の対のスロットを有することができる。
【００３１】
上述したような簡易なホルダの場合、第１のシート構造の第１の辺及び第２の辺の長さは、１００ｍｍ〜２００ｍｍとして設定することができ、一方で、第１のシート構造の幅、すなわち第１の辺と第２の辺との間の距離は２５ｍｍ〜７０ｍｍとして設定することができる。
【００３２】
前述した実施形態は、本考案の幾つかの実施態様を記載するものに過ぎない。その説明は具体的かつ詳細であるが、本考案の保護範囲に対する限定として解釈されるべきではない。当業者によって本考案に対して変形及び改良を行うことができるが、これらの変形及び改良は、本考案の保護範囲内に依然として入るものとすることに留意されたい。したがって、本考案の保護範囲は特許請求の範囲によって規定される。
【図１】
0003201882.tif 000003
【図２】
0003201882.tif 000004
【図３】
0003201882.tif 000005
【図４】
0003201882.tif 000006
【図５】
0003201882.tif 000007
【図６】
0003201882.tif 000008
【図７】
0003201882.tif 000009
【図８】
0003201882.tif 000010
【図９】
0003201882.tif 000011
【図１０】
0003201882.tif 000012
【図１１】
0003201882.tif 000013
【図１２】
0003201882.tif 000014